(57)【要約】      （修正有）【課題】従来、簾は軒から吊るして使用していた、特に軒下が木造以外の建材では取り付けが困難であり解決のため横に張り取り付けることにし、ベランダ、テラス、窓、等のサッシュ柵や支柱に取り付け器具で簾を設置、それにより日除け、昼間の遮蔽効果、通気性等美観もたもて省エネにもつながる。【解決手段】支持用溝を持つレール１，２は、設置場所の幅にスライドさすことで長さが自在に調節でき脱落も防ぎ後方部を長辺にすることで簾装着が容易に嵌められ、且つレールの強度も増すように形成したことを特徴とする。【選択図】図１
2006239379.tif 000002
【特許請求の範囲】
【請求項１】
簾設置するフェンスにＴ字型で先端にレールの取り付け装置が備わったブラケットをフェンスの柵や支柱に等間隔に設置し、上方に開放されたコの字型で前方が短辺のサッシュのレールで下部にツメと核ツメ受け溝で組み合わさって一対にすることでレールがスライドできることによって自在に長さ調節が可能となりブラケットに架渡し設置し、核レールの溝に沿って簾を張設して上部はフェンスの桟と桟の添え木で簾を挿み紐、結束バンド等で締め設置状態の維持を図る為の調節手段を設けたことを特徴とし、合成樹脂製、金属製で製造された簾横張り取り付け装置。
【発明の詳細な説明】
【技術分野】
【０００１】本発明は、戸建住宅や集合住宅の窓、テラス、ベランダ部分に設置される簾取り付け装置に関するものである。［背景技術］【０００２】従来、戸建住宅や集合住宅には窓部分の外方にフェンス部材等で囲まれたベランダ、テラス部分が設けらており上方は屋根の庇あるいは上階のベランダ床によって天井部分が構成され、風雨直射日光の差込はある程度防がれている。昨今は居住者のプライバシー保護や諸々の事情によって外部からの観視などを避けることが望まれており、そのためにフェンスや、窓部分を適宜なシート等で覆い窓部にカーテンやブラインドを配設して対処を講じており、一般的な日除け手段としては、網戸や簾などが多く、前記簾をフェンス、ベランダ天井部分から吊り下げて設けられており、遮蔽効果と室内への通気性が確保されるようにもしていた。【０００３】なお、本発明に関連する公知技術としてつぎの特許文献１を挙げることが出来る［特許文献１］特開２００１−１７３０８号公報［発明の開示］［発明が解決しようとする課題］【０００４】解決しようとする問題は従来の日除け手段にあっては、天井から吊り下げる簾などのものでは、建材によっては設置が困難で又ベランダが物干し場など使用するのに邪魔になる。［課題を解決するための手段］【０００５】本発明は、上記した問題点を解決する為になされたものであり、その目的とするところは、窓、ベランダ、テラス、のフェンスの柵や支柱に適宜にブラケットを設置、設置場所の間隔に長さを自在に調節し架け渡したレールを設置固定、このレールの溝に沿って張設した簾上部にフェンスの桟と桟の添え木で簾を挿み紐結束バンド等で締めて取り付ける日除け装置であって前記支持用溝を有し長さの調節が自在のレールと設置状態の維持を図る為の調節手段を設けたブラケットとともに簾を挿む桟の添え木を設け備えたことを特徴とする簾横張り取り付け装置を構成するものである。［発明の効果］【０００６】本発明の効果として以上説明したように、窓、ベランダ、テラスのフェンスの柵や支柱に設置するブラケットと、支持用溝に後方部が長辺で長さ調節を自在とする一対のレールと、核レールの溝に簾を挟み取り付ける桟と縛り止める結束バンドによってなる簾横張り取り付け装置であって、前記支持用ブラケットは先端にレールの取り付け装置が備わり上方に開放されたコの字型で前方が短辺のサッシュのレールと下部にツメと核ツメ受け溝で組み合わさって一対にすることでレールがスライドできることによって自在に長さ調節が可能となりまたレール下部のツメはブラケットの取り付け装置で自在に止められレール後方部が長辺で溝に沿って簾を嵌め張設が容易であり且つレールの強度も増すように形成され簾の上部にフェンスの横桟と桟の添え木で簾を挟み結束バンドで縛り止めるような構成とし窓やベランダ、テラスのフェンス部に簡単に設置可能で邪魔にもならず美観も損なうことなく従来の日除け手段と遮蔽効果及び通気性が得られる簾横張り取り付け装置であって優れた効果を奏するものとなる。［発明を実施するための最良の形態］【０００７】以下、本発明の実施の形態を図１から図８を参照しながら詳細に説明する。【０００８】図１〜図４は本発明第１の実施の形態に係り、図１は支持用溝とスライドする一対のレールの外観斜視図、図２は図１のＧ〜Ｇ’の断面図ａ、図１のＨ〜Ｈ’断面図ｂ、図３は簾を留める桟の外観斜視図、図４はレールを設置するブラケットの外観斜視図である。【０００９】図１は、上方に開放されたコの字型で溝があり後方部が長辺の一対のレール１、２は、合成樹脂製又は金属製で可変長に調節でき、レール１にツメ７を、レール２にツメ８溝９を下部に設け接続することで脱落を防ぎスライドが容易に出来るよう形成して設置場所の幅の長さに調節が自在にできる。【００１０】図２は、図１のＧ〜Ｇ’の断面図ａ、図１のＨ−Ｈ’断面図ｂ、を示したものである。【００１１】図３は、ハの字型の添え木で簾を留める桟３の外観斜視図である。【００１２】図４は、Ｔ字型で先端にレールの取り付け装置を備えフェンスの柵や支柱に等間隔に設置するブラケットの外観斜視図である。【００１３】図５は、ベランダのフェンスに簾横張り取り付け装置で張設設置を示す説明図である。【００１４】図６は、図５のＩ〜Ｉ’の断面図である。【００１５】図７は、図６のＪの部分拡大図である。【００１６】図８は、取り付け部品１８はドリルねじ、１９は結束バンド、２０はビスの外観斜視図である［実施例１］【００１７】上方に開放されたコの字型で溝があり後方部が長辺の一対のレール１、２は、合成樹脂製又は金属製で可変長に調節でき、レール１にツメ７を、レール２にツメ８溝９を下部に設け接続することで脱落を防ぎスライドが容易に出来るよう形成され設置場所の幅に調節してフェンスの柵Ｆや、支柱Ｅに架渡してレール１，２の長辺部をドリルねじ１８で直接設置も可能にした。［実施例２］【００１８】また柵Ｆ、支柱Ｅに等間隔に配したブラケット４，５の両面テープ１３で仮止めし穴１０にドリルねじ１８で固定、もしくは通し穴１１に結束バンド１９で各々締めて取り付けることも出来、ブラケット４，５に架渡したレール１の下部のツメ７を挟み固定する取り付け装置１４，１５とレール２の８を１６，１７に各々挟みネジ１２でレール１、２を止める装置を備えたことを特徴とする。［実施例３］【００１９】そして設置されたレール１、２の溝に沿って簾Ｄを横に嵌め張設するのにレール１，２の後方部を長辺にすることで容易に嵌め装着でき、簾Ｄの上部に横サッシＢと桟３の添え木で挟み適宜の間隔で締めて取り付ける紐、結束バンド１９で構成されている。［実施例４］【００２０】前記支持用溝を持つレール１，２は、設置場所の幅にスライドさすことで長さが自在に調節でき脱落も防ぎ後方部を長辺にすることで簾装着が容易に嵌められ、且つレールの強度も増すように形成した。［実施例５］【００２１】そして簾Ｄを張設下部はレール１、２の溝に嵌めレール２の穴６にネジ２０で簾を留め、上部はフェンスの横桟Ｂと設置の長さに調節切断した桟３の添え木で挟み適宜の間隔に結束バンド１９で締めることで風にも強く取り付けられる。［実施例６］【００２２】さらに、レール１、２の下部ツメ７、８にツメ７を受ける溝９でスライド機能と適宜の位置に取り付けるための装置を備えたブラケット４、５をフェンスの柵Ｆや支柱Ｅにレール１、２の両端から１５〜２０センチと等間隔に４０〜６０センチ位に配しレール１、２を固定するネジ１２が設けられている。［実施例７］【００２３】ブラケット４、５の取り付け方で、フェンスの柵Ｆや、支柱Ｅに両面テープ１３で仮止めし穴１０にビス１８で止める、又は通し穴１１に結束バンド１９で各々締めて簡単に取り付けることが可能である。［実施例７］【００２３】このように形成したレール１、２と桟３とブラケット４、５で簾Ｄが張設され既製の簾を適用することができ、設置幅や高さに適応する簾Ｄを選びブラケット４、５をフェンスの柵Ｆや支柱Ｅに高さを調節して幅間隔は長さ調整が可能なレール１，２である。［実施例８］【００２４】またレール１，２は一定の寸法で製作、（例）１００〜１９５と２００〜３９５センチの範囲としまた一辺が２００センチを超えると運搬が困難であり、設置場所が３９５センチを越えてもレール１，２を継足すことで解消できる。【００２５】つぎに、本発明の簾横張り取り付け装置の設置について説明する。使用者は、設置場所を決定したらそのベランダやテラス窓のフェンスの幅と高さに適応する簾Ｄとレール１，２は一定の寸法で製作し（例）１００〜１９５と２００〜３９５センチの範囲内を選択しフェンスの内側よりブラケット４、５を柵Ｆや支柱Ｅに高さを調節して両面テープ１３で仮止めし穴１０にビス１８で止める又は通し穴１１に結束バンド１９で各々締めて簡単に取り付けられ等間隔４０〜６０センチ位に配し伸縮可能なレール１，２を調節設置しブラケット４，５に架渡したレール１の下部のツメ７を挟み固定する取り付け装置１４，１５とレール２のツメ８を１６，１７に各々挟みネジ１２で止める。【００２６】前記設置された支持用溝を持つレール１，２の溝に沿って横に張設するのに後方部が長辺であり容易に嵌められ簾Ｄの上部に横サッシＢと設置の長に調節切断した桟３の添え木で挟み適宜の間隔で締めて取り付ける紐、結束バンド１９で構成することで設置可能となっている。【００２７】このように、簾横張り取り付け装置を窓、ベランダ、テラスのフェンスに設置することにより、従来の日除け手段と遮蔽効果及び通気性が得られるばかりでなく外観的にも美しく美観を損なわない設置形態となる。［産業上の利用可能性］【００２８】本発明は家屋の窓、ベランダ、テラスのフェンスに日除け手段と遮蔽効果及び通気性が得らればかりでなく外観的にも美しく美観を損なわない設置形態となり家庭用設備等、販売する分野で利用することができる。
【図面の簡単な説明】
【００２９】
【図１】本発明の上方に開放されたコの字型で後方部が長辺で本体下部にスライドし長さ調節可能なツメとツメ受け溝で組み合わさった一対のレールの実施形態を示す説明図である。
【図２】図１のａ、ｂは断面図である。
【図３】ハの字型に曲がった桟の実施形態を示す説明図である。
【図４】Ｔ字型で先端に取り付け装置が備わったブラケットｃ、ｄの二種類の実施形態を示す説明図である。
【図５】簾横張り取り付け装置の張設実施形態を示す説明図である。
【図６】図５の断面図である。
【図７】図６ｅの部分拡大を示す説明図である。
【図８】各々の部品の図である。
【符号の説明】
【００３０】１    内側レール２    外側レール３    桟の添え木４    内側レールのブラケット５    外側レールのブラケット６    ネジ穴７    内側レール１の凸８    外側レール１の凸９    外側レール２の凹１０  ビス穴１１  結束バンドの通し穴１２  レール固定のネジ１３  両面テープ１４，１５，１６，１７  レールを挟むツメ１８  ドリルビス１９  結束バンド２０  ネジＡ    フェンスの手摺Ｂ    フェンスの横桟Ｃ    ベランダＤ    簾Ｅ    支柱Ｆ    柵
【図１】
2006239379.tif 000003
【図２】
2006239379.tif 000004
【図３】
2006239379.tif 000005
【図４】
2006239379.tif 000006
【図５】
2006239379.tif 000007
【図６】
2006239379.tif 000008
【図７】
2006239379.tif 000009
【図８】
2006239379.tif 000010